(57)【要約】【課題】タイリングプリントの作製機能を有する写真プリントシステムにおいて、１つの画像を構成する各部分画像の詳細な観察を可能とすると共に、隣接する他の部分画像との関係を容易に把握できるようにする。【解決手段】１つの画像を複数の部分画像に分割して、その部分画像をモニタ５ａに表示し、前記複数の部分画像の夫々についてプリント装置ＥＰにてプリント処理する写真プリントシステムにおいて、前記１つの画像のうちの前記部分画像を単位として指定する設定エリアを前記モニタ５ａに表示させ、且つ、複数の前記部分画像を表示させるときに、その複数の前記部分画像を互いに分離した状態と、一連の画像を構成するように結合した状態とに表示状態を切り換えて表示させるように構成されている。【選択図】図１
2006148516.tif 000002
【特許請求の範囲】
【請求項１】
１つの画像を複数の部分画像に分割する画像処理装置と、その部分画像を表示するモニタと、前記モニタへの前記部分画像の表示状態を管理する表示管理装置と、前記モニタに表示する前記部分画像を前記表示管理装置に指定するための入力操作手段と、前記複数の部分画像の夫々についてプリント処理するプリント装置とが備えられた写真プリントシステムであって、
前記表示管理装置は、前記１つの画像のうちの前記部分画像を単位として指定する設定エリアを前記モニタに表示させ、且つ、複数の前記部分画像を表示させるときに、その複数の前記部分画像を互いに分離した状態と、一連の画像を構成するように結合した状態とに表示状態を切り換えて表示させるように構成されている写真プリントシステム。
【請求項２】
前記画像処理装置は、前記部分画像の端縁部分の画像が隣接する他の部分画像の端縁部分の画像と重複する状態で前記１つの画像を分割するように構成され、
前記表示管理装置は、前記部分画像の端縁付近にプリントを切断する位置を示す切断マークを表示させると共に、前記端縁部分が重複する範囲内で前記切断マークの位置を変更する入力操作を受け付けるように構成され、
前記プリント装置は、プリントの画像面側の前記切断マークによって特定される位置に、前記切断マークを示す図柄を形成するように構成されている請求項１記載の写真プリントシステム。
【請求項３】
前記表示管理装置は、前記部分画像における他の部分画像の端縁部分の画像と重複する範囲を示す重複範囲マークを表示させると共に、前記重複範囲マークの位置を変更する入力操作を受け付けるように構成され、
前記画像処理装置は、変更された前記重複範囲マークの位置に従って、前記部分画像を更新するように構成されている請求項２記載の写真プリントシステム。
【請求項４】
前記表示管理装置は、前記モニタの画面表示に、個々の前記部分画像が特定可能な状態で前記１つの画像を表示する補助画像表示エリアと、前記設定エリアの部分画像を表示する主画像表示エリアとを備えさせ、且つ、前記補助画像表示エリアに表示されている画像上に前記設定エリアの範囲を示す設定エリア識別表示を表示させるように構成されている請求項１〜３のいずれか１項に記載の写真プリントシステム。
【請求項５】
前記表示管理装置は、前記設定エリア識別表示として、前記設定エリアの外縁に沿う枠を表示し、
前記入力操作手段は、前記補助画像表示エリアに表示されている前記枠を移動操作することにより、前記設定エリアを指定するように構成されている請求項４記載の写真プリントシステム。
【請求項６】
前記プリント装置は、前記部分画像のプリントの画像面側にプリントを切断する位置を示すものとして形成する図柄を、隣接するプリント間において互いに接する辺同士で同一の図柄とするように構成されている請求項１〜５のいずれか１項に記載の写真プリントシステム。
【発明の詳細な説明】
【技術分野】
【０００１】
本発明は、１つの画像を複数の部分画像に分割する画像処理装置と、その部分画像を表示するモニタと、前記モニタへの前記部分画像の表示状態を管理する表示管理装置と、前記モニタに表示する前記部分画像を前記表示管理装置に指定するための入力操作手段と、前記複数の部分画像の夫々についてプリント処理するプリント装置とが備えられた写真プリントシステムに関する。
【背景技術】
【０００２】
かかる写真プリントシステムは、下記特許文献１にも記載のような、プリント装置の最大プリントサイズを超えるような大きなサイズでの画像のプリントを可能とする、いわゆる、タイリングプリントの機能を有するシステムである。
このようなタイリングプリントでは、１つの画像を複数の部分画像に分割する画像処理を行って、その分割した部分画像毎にプリントし、各部分画像のプリントをつなぎ合わせて１つの大きな画像を完成させる。
このプリント処理の過程において、分割した個々の部分画像を詳細に観察できるように、その部分画像をモニタに表示する機能を有するシステムも考えられている。
このようなシステムでは、従来、１つの画像を構成する複数の部分画像のうちのいずれか１つを入力操作手段にて選択して、その選択した部分画像をモニタに表示させるように構成されていた。
【特許文献１】特開平１１−２２０６０６号公報
【発明の開示】
【発明が解決しようとする課題】
【０００３】
従って、個々の部分画像をモニタにて観察して、例えばその部分画像が所望通りの画像に処理されているか否か等を確認できるのではあるが、隣接する他の部分画像との関係が把握し辛いものとなっていた。
本発明は、かかる実情に鑑みてなされたものであって、その目的は、１つの画像を構成する各部分画像の詳細な観察を可能とすると共に、隣接する他の部分画像との関係を容易に把握できるようにする点にある。
【課題を解決するための手段】
【０００４】
本出願の第１の発明は、１つの画像を複数の部分画像に分割する画像処理装置と、その部分画像を表示するモニタと、前記モニタへの前記部分画像の表示状態を管理する表示管理装置と、前記モニタに表示する前記部分画像を前記表示管理装置に指定するための入力操作手段と、前記複数の部分画像の夫々についてプリント処理するプリント装置とが備えられた写真プリントシステムにおいて、前記表示管理装置は、前記１つの画像のうちの前記部分画像を単位として指定する設定エリアを前記モニタに表示させ、且つ、複数の前記部分画像を表示させるときに、その複数の前記部分画像を互いに分離した状態と、一連の画像を構成するように結合した状態とに表示状態を切り換えて表示させるように構成されている。
【０００５】
従って、モニタに表示する部分画像の表示状態を互いに分離した状態に設定することで、個々の部分画像が夫々のプリントとしてばらばらに出力された状態を把握し易いものとなり、モニタに表示する部分画像の表示状態を部分画像が結合した状態で表示させるように設定することで、ばらばらに出力した部分画像のプリントをつなぎ合わせた状態を把握し易いものとすることができる。
【０００６】
又、本出願の第２の発明は、上記第１の発明の構成に加えて、前記画像処理装置は、前記部分画像の端縁部分の画像が隣接する他の部分画像の端縁部分の画像と重複する状態で前記１つの画像を分割するように構成され、前記表示管理装置は、前記部分画像の端縁付近にプリントを切断する位置を示す切断マークを表示させると共に、前記端縁部分が重複する範囲内で前記切断マークの位置を変更する入力操作を受け付けるように構成され、前記プリント装置は、プリントの画像面側の前記切断マークによって特定される位置に、前記切断マークを示す図柄を形成するように構成されている。
【０００７】
すなわち、タイリングプリントにおいては、部分画像の端縁部分の画像を隣接する者同士で重複させて、その重複する範囲内で精度良く位置決めして切断することで、部分画像のプリントのつなぎ合わせ箇所において画像の連続性を向上させることがよく行われている。
このような場合において、部分画像をモニタに表示させたときに、その切断位置を設定するための切断マークも併せて表示して、更に、その切断マークの位置を変更可能としておくことで、例えば、既定の切断マークの位置では、画像の重要な部分に切断位置がかかってしまい、部分画像のプリントをつなぎ合わせたときの画像品質を低下させてしまうような場合に、切断マークの位置を変更して、そのような画像品質の低下を回避することが可能となる。
【０００８】
又、本出願の第３の発明は、上記第２の発明の構成に加えて、前記表示管理装置は、前記部分画像における他の部分画像の端縁部分の画像と重複する範囲を示す重複範囲マークを表示させると共に、前記重複範囲マークの位置を変更する入力操作を受け付けるように構成され、前記画像処理装置は、変更された前記重複範囲マークの位置に従って、前記部分画像を更新するように構成されている。
すなわち、部分画像のプリントの端縁付近を切断するときの位置は、隣接する画像で重複する範囲内に位置する必要があり、その範囲内において切断位置を設定変更可能であるが、画像によっては、既定の重複範囲の設定では切断位置を十分にずらせることができない場合もあり得る。
そこで、隣接する部分画像の重複範囲も設定変更できるようにして、より柔軟に切断位置を調整できるようにしたのである。
【０００９】
又、本出願の第４の発明は、上記第１〜第３のいずれかの発明の構成に加えて、前記表示管理装置は、前記モニタの画面表示に、個々の前記部分画像が特定可能な状態で前記１つの画像を表示する補助画像表示エリアと、前記設定エリアの部分画像を表示する主画像表示エリアとを備えさせ、且つ、前記補助画像表示エリアに表示されている画像上に前記設定エリアの範囲を示す設定エリア識別表示を表示させるように構成されている。
従って、部分画像を詳細に表示するエリアと画像全体を表示するエリアとを備えて、その画像全体を表示するエリアでは、詳細に表示している部分画像が画像全体におけるどの位置のものかを把握することができる。
【００１０】
又、本出願の第５の発明は、上記第４の発明の構成に加えて、前記表示管理装置は、前記設定エリア識別表示として、前記設定エリアの外縁に沿う枠を表示し、前記入力操作手段は、前記補助画像表示エリアに表示されている前記枠を移動操作することにより、前記設定エリアを指定するように構成されている。
従って、詳細に表示している部分画像が、画像全体のどの位置に存在するものであるかを示すための表示を利用して、部分画像の表示範囲を設定変更できる。
【００１１】
又、本出願の第６の発明は、上記第１〜第５のいずれかの発明の構成に加えて、前記プリント装置は、前記部分画像のプリントの画像面側にプリントを切断する位置を示すものとして形成する図柄を、隣接するプリント間において互いに接する辺同士で同一の図柄とするように構成されている。
すなわち、タイリングプリントの作製過程においては、出力された部分画像のプリントの端縁を切断する作業を行う前に、部分画像のプリント同士を並べて配置して画像のつながり具合を把握したい場合がある。
このような場合に、部分画像のプリントの中から同一の図柄が切断位置を示すマークとして形成されているものを探し出すと共に、その切断位置を示すマークによって位置合わせすることで、隣接する部分画像のプリントを精度良く適正姿勢で並べることができる。
特に、１つの画像をプリントサイズが異なる部分画像に分割した場合では、隣接するプリント同士を複雑な位置関係で並べる必要が生じるが、このような場合でも、同一の図柄の切断位置を示すマークを位置合わせするだけで、適正姿勢で並べることができる。
尚、ここでの切断位置を示す図柄としては、各種の図形や記号、文字等を用いることができる。
【発明の効果】
【００１２】
上記第１の発明によれば、モニタに部分画像の詳細表示を行えると共に、それらの部分画像をばらばらの状態とつなぎ合わせた状態とに切り換えて表示できるので、１つの画像を構成する各部分画像の詳細な観察を可能とすると共に、隣接する他の部分画像との関係を容易に把握できるものとなった。
又、上記第２の発明によれば、切断マークの位置を変更可能として、タイリングプリントの画像品質の低下を回避することができる。
又、上記第３の発明によれば、切断位置のより柔軟な変更操作が可能となり、タイリングプリントの画質低下をより柔軟に回避可能となる。
【００１３】
又、上記第４の発明によれば、部分画像の詳細と、画像の全体像とを同時に観察でき、しかも、詳細表示している部分画像の全体像における配置情報を容易に把握できるので、画像の確認作業を的確且つ容易に行うことができる。
又、上記第５の発明によれば、詳細に表示している部分画像が、画像全体のどの位置に存在するものであるかを示すための表示を利用して、部分画像の表示範囲を設定変更できるので、詳細表示する部分画像の指定を簡便に行うことができる。
又、上記第６の発明によれば、部分画像のプリントの中から同一の図柄が形成されたプリントを選び出して、その図柄で位置合わせするだけで、隣接する部分画像のプリントを精度良く適正姿勢で並べることができるので、タイリングプリントの作製作業を簡素化することができる。
【発明を実施するための最良の形態】
【００１４】
以下、本発明の写真プリントシステムの実施の形態を図面に基づいて説明する。
本実施の形態で例示する写真プリントシステムは、各種の画像保持メディアから取込んだ画像を写真プリントとしてプリント出力するシステムであり、いわゆるデジタルミニラボ機として知られているものである。
この写真プリントシステムＤＰは、図１のブロック図に示すように、現像処理済みの写真フィルムやメモリーカード，光磁気ディスクあるいはＣＤ−Ｒメディア等から写真プリントを作製するための画像データを取込む画像入力装置ＩＲと、画像入力装置ＩＲにて取込んだ画像データに基づいて画像形成対象部材ＰＳである印画紙２に画像をプリント処理するプリント装置ＥＰとから構成されている。
上記構成の写真プリントシステムＤＰは、１画像で１枚の写真プリントを作製する通常のプリント機能の他に、いわゆるタイリングプリントの作製機能を備えており、１つの画像を複数の部分画像に分割して、各部分画像毎に写真プリントを作製することができる。
【００１５】
〔画像入力装置ＩＲの概略構成〕
画像入力装置ＩＲには、図１に概略的に示すように、写真フィルムの駒画像を読み取るフィルムスキャナ３と、メモリーリーダ／ライタ，光磁気ディスクドライブ及びＣＤ−Ｒ／ＲＷドライブ等の各種のドライブを備えてそれら各ドライブに対応するメモリーカード，光磁気ディスク及びＣＤ−Ｒメディア等の記録媒体に対して画像データを読み書きする画像入出力装置４と、パーソナルコンピュータにて構成される制御装置５とが備えられ、制御装置５には、各種の制御用の情報や処理画像の編集画面等を表示するモニタ５ａと、露光条件の手動設定等や制御情報の入力操作をするための操作卓５ｂ及びマウス５ｃとが接続されている。
画像入出力装置４を備えることにより、フィルムスキャナ３の読取り画像のみならず、各記録媒体に記録保存されている画像データを取込んでプリント装置ＥＰにてプリント処理させることができ、更に、プリント装置ＥＰにてプリント処理させた画像データを各種の記録媒体へ書込んで、その記録媒体を顧客に提供することもできる。
又、制御装置５は、画像入力装置ＩＲのみならず写真プリントシステムＤＰ全体の管理をも行っている。
【００１６】
〔プリント装置ＥＰの概略構成〕
図１に示すように、プリント装置ＥＰは、筐体内部に、画像形成装置ＥＸと、画像形成装置ＥＸにて画像が露光形成された印画紙２を現像処理する現像処理装置ＰＰと、筐体内に配置された印画紙マガジン７から引き出された印画紙２を多数の搬送ローラ８等にて現像処理装置ＰＰへ搬送する印画紙搬送系ＰＴとが設けられている。
図示を省略するが、プリント装置ＥＰの筐体外部には、現像処理装置ＰＰにて現像処理及び乾燥処理された印画紙２をオーダ毎に分類するためのソータが備えられ、現像処理装置ＰＰの排出口から排出された印画紙２をコンベア９にてソータへ搬送する。
印画紙搬送系ＰＴの搬送経路の途中には、印画紙マガジン７から引き出された長尺の印画紙２を設定プリントサイズに切断するカッタ１０と、印画紙２を複数の搬送列に振り分けるための振り分け装置１１が備えられている。
【００１７】
画像形成装置ＥＸは、印画紙２上に露光画像を形成する画像形成ヘッド１２と、画像形成ヘッド１２を制御する露光制御装置１３とを主要部として構成されている。
画像形成ヘッド１２は、設定プリントサイズに切断された印画紙２の搬送経路の途中箇所を画像形成位置とするように取り付けられ、その画像形成位置において印画紙搬送方向と直交する方向でレーザビームを走査する。
画像形成ヘッド１２から出射されるレーザビームは、露光制御装置１３の制御により、制御装置５から入力される画像データに基づいて強度変調されている。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１８】
〔写真プリントの作製動作〕
次に、上記構成の写真プリントシステムＤＰによる写真プリントの作製動作を、いわゆるタイリングプリントのプリント処理をさせる場合について、画像入力装置ＩＲの制御装置５が実行する図６乃至図８のフローチャートに基づいて概略的に説明する。
写真プリントの作製の対象となる画像データは、画像入出力装置４から制御装置５に取込まれているか、あるいは、フィルムスキャナ３にて読取られた写真フィルムの駒画像の画像データに所定の補正処理を施したものが制御装置５に取込まれている。
モニタ５ａに表示されている初期設定画面において、タイリングプリントの作製条件とタイリングプリントの作製処理の開始とを指示入力すると、図６の処理が開始される。
【００１９】
図６の処理が開始されると、図２に例示するようなタイリングプリント作製用の調整画面がモニタ５ａに表示される（ステップ＃１）。
図２の画面表示では、プリント対象の画像を表示する画像表示エリア２１、色補正やコントラスト調整等の画像補正の入力操作をするための画像補正用ボタン群２２、詳しくは後述するプレビュー画面を表示させるためのプレビューボタン表示２３、処理対象の画像データの取込みを指示入力するためのイメージ読み込みボタン表示２４、プリントの開始を指示するプリントボタン表示２５、及び、タイリングプリント作製処理の終了を指示入力する終了ボタン表示２６等が表示される。
図２では、プリント対象の画像を表示した状態を図示しているが、図６の処理が起動した直後は、画像は表示されていない。もちろん、図６の処理の起動直後から先頭の画像を表示するようにしても良い。
【００２０】
図２の画面表示上で、イメージ読み込みボタン表示２４がマウス５ｃ等にて押し操作されると（ステップ＃２）、制御装置５に取込まれている画像データの中から図６の処理プログラムに読み込む画像データを選択するための選択画面をモニタ５ａに表示し、その画面で選択された１つの画像の画像データが読み込まれる（ステップ＃３）。
読み込まれた１つの画像は、複数の部分画像に分割する画像処理が実行される（ステップ＃４）。従って、制御装置５は、１つの画像を複数の部分画像に分割する画像処理装置ＩＰとして機能する。
尚、ここでは、初期設定画面において、１つの画像を２行３列に６分割するように設定されていたものとして説明する。
各部分画像の夫々は、１つの画像をプリントサイズを考慮して単純に６分割したものよりも、矩形形状のまま若干拡幅されたエリアの画像からなっており、従って、各部分画像の端縁部分の画像が隣接する他の部分画像の端縁部分の画像と重複する状態となっている。
上記のようにして部分画像が生成されると、その部分画像が画像表示エリア２１に表示される（ステップ＃５）。
画像表示エリア２１は、各部分画像の端縁の重複部分が重なった状態で表示され、更に、部分画像の境界を示す点線Ａを表示している。
この点線Ａは、１つの画像を分割して生成した各部分画像の端縁の線ではなく、部分画像のプリントを切断する位置に対応するものであり、部分画像の端縁の前記重複部分の範囲内に存在する。
【００２１】
この状態で、画像補正用ボタン群２２がマウス５ｃ等にて押し操作されると（ステップ＃）、操作されたボタン等に応じた画像処理が各部分画像に施されて（ステップ＃７）、画像表示エリア２１の表示画像が処理後の部分画像の画像データで更新される（ステップ＃８）。
又、プレビューボタン表示２３がマウス５ｃ等にて押し操作されると（ステップ＃９）、図７及び図８のフローチャートに示すプレビュー処理が実行される（ステップ＃１０）。
このプレビュー処理では、まず図３に示すようなプレビュー表示用の画面をウィンドウ表示する（ステップ＃２１）。
図３の画面表示では、設定エリアの部分画像を表示する主画像表示エリア３１、プリント対象の前記１つの画像の全体を表示する補助画像表示エリア３２、主画像表示エリア３１に表示する画像の表示サイズを設定する表示サイズ入力欄３３、主画像表示エリア３１に表示する部分画像を指定する（すなわち、前記設定エリアを指定する）ためのカーソルボタン表示３４、主画像表示エリア３１に表示する部分画像の表示状態を設定するための結合ボタン表示３５、同じく主画像表示エリア３１に表示する部分画像の表示状態を設定するための分割ボタン表示３６、主画像表示エリア３１に表示している部分画像のプリントを指示するためのプリントボタン表示３７、及び、図３のウィンドウ表示を閉じるための閉じるボタン表示３８等が表示されている。従って、制御装置５は、モニタ５ａへの部分画像の表示状態を管理する表示管理装置ＤＭとしても機能する。
【００２２】
主画像表示エリア３１に表示する部分画像は、結合ボタン表示３５と分割ボタン表示３６との操作によって、互いに分離した状態と、一連の画像を構成するように結合した状態とに切り換えることができる。
尚、本実施の形態では、図３の初期状態では、部分画像を分離した状態で表示するように設定されているものとして説明する。
図３の表示状態では、部分画像がばらばらに表示されて、部分画像がプリント装置ＥＰにてプリント出力された状態を示す表示状態であり、この図３の表示状態から、結合ボタン表示３５がマウス５ｃ等にて押し操作されると（ステップ＃２２）、図４に示すように、２つの部分画像が一連の画像を構成するように結合した表示状態となる（ステップ＃２３）。この表示状態は、部分画像のプリントを適正位置で切断してプリントの端縁部分を切り落し、つなぎ合わせた状態を示している。
逆に、図４の表示状態から、分割ボタン表示３６をマウス等にて押し操作すると（ステップ＃２４）、図３の表示状態に戻る（ステップ＃２５）。
【００２３】
主画像表示エリア３１に表示する部分画像の指定、すなわち、前記設定エリアの指定は、部分画像を単位として指定することができ、この指定は、補助画像表示エリア３２に対する操作とカーソルボタン表示３４に対する操作とによって行う。
補助画像表示エリア３２には、図２の画像表示エリア２１における点線Ａと同様の部分画像の境界を示す点線Ｂを表示することで個々の部分画像を特定可能な状態で示しており、その点線Ｂ上に上書きする状態で、主画像表示エリア３１に表示している部分画像の範囲（すなわち、前記設定エリア）の外縁に沿う実線の枠Ｃを設定エリア識別表示として表示している。
この実線の枠Ｃは、各辺の線分をマウス５ｃのドラッグ操作によって移動可能に設定されており、実線の枠Ｃの各辺が点線Ｂ間を乗り移るように移動させると共に、このドラッグ操作が行われた際にその旨を図７及び図８のプレビュー処理に報知するプログラムが別途組み込まれている。
実線の枠Ｃがマウス５ｃのドラッグ操作によって移動されると（ステップ＃２６）、その移動後の実線の枠Ｃで囲まれる部分画像が主画像表示エリア３１に表示されるように、画面表示が更新される（ステップ＃２７）。
更に、実線枠カーソルボタン表示３４がマウス５ｃ等にて押し操作されると（ステップ＃２８）、実線の枠Ｃを、その形状を維持したまま、カーソルボタンの方向に対応する方向に１ステップ（１つ分の部分画像の存在幅）分ずつ移動させ（ステップ＃２９）、その移動後の実線の枠Ｃで囲まれる部分画像が主画像表示エリア３１に表示されるように、画面表示が更新される（ステップ＃３０）。
従って、マウス５ｃは、モニタ５ａに表示するための部分画像を表示管理装置ＤＭである制御装置５に指定するための入力操作手段ＩＭとして機能する。
【００２４】
主画像表示エリア３１に表示される部分画像の表示状態について更に説明すると、主画像表示エリア３１に表示される部分画像のサイズは、表示サイズ入力欄３３の入力値によって変更可能であり、表示サイズ入力欄３３に新たな値が入力されると（ステップ＃３１）、主画像表示エリア３１に表示している部分画像をリサイズして表示を更新する（ステップ＃３２）。
主画像表示エリア３１では、単に部分画像を表示するだけでなく、プリントの切断位置に関する付帯情報をも併せて表示している。
具体的には、図３等に示すように、各部分画像毎に、部分画像の端縁を示す細線Ｄと、隣接する部分画像との重複範囲の画像内方側の端縁を示す太線Ｅとを、部分画像の一対の対辺に分散する状態で部分画像の側脇に表示して、部分画像の重複する範囲を示し、更に、図２の画像表示エリア２１における点線Ａに相当し、部分画像のプリントの切断位置として想定している位置を示す点線Ｆを部分画像を横切る状態で表示している。
従って、細線Ｄと太線Ｅとは、部分画像における他の部分画像の端縁部分の画像と重複する範囲を示す重複範囲マークとして表示されており、点線Ｆは、プリントを切断する位置を示す切断マークとして表示されている。
【００２５】
この部分画像と共に主画像表示エリア３１に表示される細線Ｄ，太線Ｅ及び点線Ｆは、何れもマウス５ｃのドラッグ操作によって、各線に直交する方向に移動操作可能に設定されており、このドラッグ操作が行われたときにその旨を図７及び図８のプレビュー処理に報知するプログラムが別途組み込まれている。尚、細線Ｄ及び太線Ｅは、対辺側の対応する線と連動して移動する。
このように構成することで、前記切断マークや前記重複範囲マークの位置を変更する入力操作を受け付けるようにしている。但し、前記切断マーク（点線Ｆ）は、端縁部分で他の部分画像と重複する範囲内、すなわち、細線Ｄと太線Ｅとの間でのみ移動が許容されるように制限されている。
【００２６】
部分画像のプリントを切断する位置を示す点線Ｆは、初期状態では細線Ｄと太線Ｅとの中央位置に配置されるが、その初期状態の位置では例えば切断位置が人物の目にかかる等して、そのような位置で切断するのが適切でない場合がある。
そのような場合には、その点線Ｆをマウス５ｃにて移動操作すると（ステップ＃３３）、部分画像自体はそのままで、部分画像のプリントを切断する位置を特定するデータだけが点線Ｆの移動に応じて更新される（ステップ＃３４）。
このとき、移動させた点線Ｆと縦方向又は横方向で連なる他の部分画像（主画像表示エリア３１に表示しているものと、表示していないものとの双方を含む）の点線Ｆの位置データも連動して変更される。
【００２７】
一方、上記の細線Ｄあるいは太線Ｅを、マウス５ｃにて移動操作すると（ステップ＃３５）、移動後の細線Ｄあるいは太線Ｅの位置情報によって、部分画像を再生成し（ステップ＃３６）、再生成した部分画像の画像データで主画像表示エリア３１の表示を更新する（ステップ＃３７）。
この部分画像の再生成においては、位置を変更した細線Ｄあるいは太線Ｅと縦方向又は横方向で存在位置が対応する他の部分画像（主画像表示エリア３１に表示しているものと、表示していないものとの双方を含む）の細線Ｄあるいは太線Ｅの位置をも連動して変更するようにしており、それらの変更の影響を受ける全ての部分画像について再生成する。
【００２８】
これらの調整や画像の確認を行っている状態で、プリントボタン表示３７をマウス５ｃ等にて押し操作すると（ステップ＃３８）、主画像表示エリア３１に表示している部分画像の画像データをプリント装置ＥＰへ送ってプリント処理させる（ステップ＃３９）。
又、閉じるボタン表示３８を押し操作すると（ステップ＃４０）、図３等のウィンドウ表示を閉じて（ステップ＃４１）、図６の処理に戻る。
画像の色補正等の画像処理や部分画像を切断する位置の指定等の作業を完了して、図２の画面表示においてプリントボタン表示２５をマウス５ｃ等にて押し操作すると（ステップ＃１１）、画像表示エリア２１に表示している１つの画像を構成する全て部分画像に対して、図３等の主画像表示エリア３１に表示した点線Ｆの位置に相当する位置にその切断マークを示す図柄を画像合成し、その後にプリント装置ＥＰへ送ってプリント処理を開始させる（ステップ＃１２）。
全ての部分画像についてプリント装置ＥＰへの送信が完了すると、図２の画面表示を初期状態（画像表示エリア２１に画像を表示していない状態）に戻して（ステップ＃１）、上述の作業を他の画像について繰り返す。
タイリングプリントを作製したい全ての画像について作業を終了して終了ボタン表示２６をマウス５ｃ等にて押し操作すると（ステップ＃１３）、図６の処理を終了する。
【００２９】
制御装置５からプリント装置ＥＰへ送られた部分画像の画像データによって写真プリントが作製されると、例えば、図５に例示するような部分画像のプリントがコンベア９上に出力される。
図５では、図３及び図４の主画像表示エリア３１に表示させている部分画像のプリントを例示しており、夫々、部分画像の四隅付近にいわゆるトンボ表示に相当するトンボマークＣＭの図柄が形成されている。
トンボマークＣＭの各図柄は、プリントの切断位置を示す直線と、その直線の側脇に配置された１字のアルファベットとにより構成されている。
トンボマークＣＭの図柄を構成する直線は、図３等の主画像表示エリア３１に表示された前記切断マーク（点線Ｆ）によって特定される位置に形成されており、トンボマークＣＭが前記切断マークを示す図柄となっている。
トンボマークＣＭを構成する各直線は色違いで形成されており、図５ではこの色の違いを点線や実線等の線種の違いで表現している。この色違いで形成される直線の側脇に位置するアルファベットは、対応する直線と同一色で形成されている。
【００３０】
このトンボマークＣＭは、上述のように部分画像の端縁を切り落とす際の切断位置を示す機能の他に、部分画像のプリントを並べて画像を観察する際に、プリント同士の位置関係を特定するための機能をも併せ持っている。
このような機能を実現するために、図５（ａ）のプリントの右端のトンボマークＣＭと図５（ｂ）プリントの左端のトンボマークＣＭとの対比から理解できるように、隣接するプリント間で、互いに接する辺同士で同一の図柄として、且つ、接することのない辺同士は全てトンボマークＣＭの図柄が異なるようにしている。
従って、出力された部分画像のプリントの各辺のトンボマークＣＭを視認して、何れかの辺で全く同一の図柄のパターンのトンボマークＣＭを有するプリントを隣接するプリントとして特定できる。
この隣接するプリントの選び出しを行い易くするために、切断方向を基準にして同一行方向あるいは同一列方向に並ぶトンボマークＣＭは、図柄を構成する要素に同一グループであることを示すための共通要素を含むように構成して、行あるいは列の識別を行い易いように構成されており、具体的には、図５では、図柄の直線の長手方向（切断方向）を並び方向の判断の基準として、行方向及び列方向に並ぶトンボマークＣＭを同一色で形成している。
【００３１】
又、この同一の図柄を有するトンボマークＣＭは、トンボマークＣＭとして使用する関係上、トンボマークＣＭの直線を目印にしてプリント同士を位置合わせすることで、プリント同士を精度良く位置合わせすることができる。
本実施の形態では、各部分画像のプリントのプリントサイズが共通である場合を例示しているが、プリントサイズが部分画像のプリント毎に異なるような状態で１つの画像を分割したようなときは、切断位置がプリント間で不連続となる場合もある。
このような場合でも、互いに接する辺同士でトンボマークＣＭの図柄が同一となるように、本来の切断位置以外の箇所にも、位置合わせ用のマークとしてダミーのトンボマークＣＭを形成することで、精密なプリント間の位置合わせが可能となる。
これによって、プリントサイズが異なって、プリントの端縁を位置合わせの目安とできないような場合でも、容易にプリント間の位置合わせを行える。
尚、形成されているトンボマークＣＭがダミーか否かは、プリント内の対辺のトンボマークＣＭを比較すること等により容易に判断できる。
【００３２】
〔別実施形態〕
以下、本発明の別実施形態を列記する。
（１）上記実施の形態では、図３等の主画像表示エリア３１において、切断マーク（点線Ｆ）の位置を変更操作すると、その切断マークと縦方向又は横方向で連なる他の部分画像の切断マークも連動して変更されるように構成する場合を例示しているが、切断マークの位置は、各部分画像毎に個別に設定できるようにしても良い。
（２）上記実施の形態では、モニタ５ａに表示した切断マークを示すトンボマークＣＭを、直線とアルファベットとの組み合わせからなる図柄によって構成する場合を例示しているが、切断位置を的確に特定できる形状を有していれば、例えば三角形のマークにて表す等、トンボマークＣＭの具体的な図柄は適宜に変更可能である。
（３）上記実施の形態では、プリント装置ＥＰとして、レーザビーム露光式のプリント装置を例示しているが、他の露光形式のプリント装置でも良いし、インクジェットプリント形式のような露光によらないプリント装置でも本発明を適用できる。
【図面の簡単な説明】
【００３３】
【図１】本発明の実施の形態にかかる写真プリントシステムの概略ブロック構成図
【図２】本発明の実施の形態にかかるモニタの画面表示例を示す図
【図３】本発明の実施の形態にかかるモニタの画面表示例を示す図
【図４】本発明の実施の形態にかかるモニタの画面表示例を示す図
【図５】本発明の実施の形態にかかる部分画像のプリントを例示する図
【図６】本発明の実施の形態にかかるフローチャート
【図７】本発明の実施の形態にかかるフローチャート
【図８】本発明の実施の形態にかかるフローチャート
【符号の説明】
【００３４】
５ａ  モニタ
３１  主画像表示エリア
３２  補助画像表示エリア
ＤＭ  表示管理装置
ＥＰ  プリント装置
ＩＭ  入力操作手段
ＩＰ  画像処理装置
【図１】
2006148516.tif 000003
【図２】
2006148516.tif 000004
【図３】
2006148516.tif 000005
【図４】
2006148516.tif 000006
【図５】
2006148516.tif 000007
【図６】
2006148516.tif 000008
【図７】
2006148516.tif 000009
【図８】
2006148516.tif 000010